(57)【要約】【課題】商品の収納が容易で、商品を購入したいお客が吊下げ展示された商品を取り出して商品のサイズ、柄、模様等を確認して、再び、袋本体に収納した際、フラップの固定が不完全に行われても、収納した内容物が不測に落下することのない吊下げ展示用の収納袋を提供する。【解決手段】上端に開口ａが形成された樹脂フィルム製の袋本体１における背面側の開口縁部１ａに、袋本体に対応する横幅とフラップＡより狭い上下幅を有し、且つ、吊下げ展示用の貫通孔ｂが形成された補強シート２を、下縁部において開口に沿った直線状に溶着し、この直線状の溶着線Ｌより上方の樹脂フィルム部分で袋本体の開口を閉塞するフラップＡを形成し、補強シート２を吊下げ展示用の貫通孔を有するヘッダー部Ｂに形成する。【選択図】図１
0003152460.tif 000002
【実用新案登録請求の範囲】
【請求項１】
上端に開口が形成された樹脂フィルム製の袋本体における背面側の開口縁部に、袋本体の横幅に対応する横幅と所定の上下幅を有し、且つ、吊下げ展示用の貫通孔が形成された補強シートの下縁部が開口に沿った直線状に溶着され、この直線状の溶着線より上方の樹脂フィルム部分が袋本体の開口を閉塞するフラップに形成され、補強シートが吊下げ展示用の貫通孔を有するヘッダー部に形成されていることを特徴とする収納袋。
【請求項２】
補強シートの表面に樹脂フィルムの熱溶着を抑制する表面処理が施され、樹脂フィルム製の袋本体における背面側の開口縁部と補強シートの表面が補強シートの下縁部において開口に沿った直線状に超音波溶着され、袋本体の両側部が熱溶着によりシールされていることを特徴とする請求項１に記載の収納袋。
【請求項３】
溶着線より上方の樹脂フィルム部分で形成されたフラップの補強シートより上方へ突出した位置に雄又は雌スナップが取り付けられ、袋本体における正面側の開口縁部に前記雄又は雌スナップに対応する雌又は雄スナップが取り付けられていることを特徴とする請求項１又は２に記載の収納袋。
【考案の詳細な説明】
【技術分野】
【０００１】
本考案は、例えば、家庭用の各種小物雑貨、小さく畳める衣類、ハンカチや靴下などの繊維製品等々の商品を収納して店頭などに吊下げ展示する際に用いられる収納袋の改良に関する。
【背景技術】
【０００２】
商品を収納して吊下げ展示する収納袋としては、図６、図７に示すように、透明な樹脂フィルムからなる下端の開口ａした袋本体１の上端部に、補強シート２の綴じ込みによって吊下げ荷重に対する強度を確保した展示用のヘッダー部（吊下げ部）Ｂを形成し、袋本体１における背面側の樹脂フィルムで形成されたフラップＡに雄又は雌スナップ３ａを取り付け、袋本体１における正面側の開口縁部１ｂに前記雄又は雌スナップ３ａに対応する雌又は雄スナップ３ｂを取り付けたものが、一般に広く用いられている。
【０００３】
尚、吊下げ展示する収納袋には、図示のように、ヘッダー部Ｂに形成された貫通孔ｂに直接、陳列用の吊下げバー４を挿通して吊下げ展示するタイプと、貫通孔ｂに挿通してヘッダー部に取り付けた樹脂製フック（図示せず）を陳列用の吊下げバー４に引っ掛けて吊下げ展示するタイプとがある。
【０００４】
何れのタイプにしても、上記の収納袋においては、開口縁が柔軟な樹脂フィルム製であるため、袋本体１に商品を収納する際、袋口が変形して、収納操作がし難いといった問題がある。しかも、袋本体１の下端に開口ａが設けられているので、商品を購入したいお客が吊下げ展示された商品を取り出して商品のサイズ、柄、模様等を確認して、再び、袋本体１に収納した際、スナップファスナーによるフラップＡの固定が不完全に行われ、吊り下げる際や吊下げ展示中に、収納した内容物が不測に落下するという問題があった。
【０００５】
また、図８に示すように、袋本体１の上端に開口を設けた吊下げ展示用の収納袋も知られており、特許文献１等によって提案されている。しかしながら、この収納袋においては、ヘッダー部Ｂが、樹脂フィルムを折り返して、補強シート２を囲繞し、樹脂フィルムの二枚合わせ部分を熱溶着して、補強シート２を綴じ込む構造であるから、ヘッダー部下縁の溶着線より下方に延出された樹脂フィルムで形成されたフラップＡと、袋本体の正面側の開口縁部との間に両面テープ５で粘着層を形成する場合、商品の収納前にフラップＡが接着されてしまうのを防止するために離型紙６を挟み込むことが必要とされ、収納袋の製造が面倒であった。
【０００６】
この点、図９に示すように、フラップＡに雄又は雌スナップ３ａを取り付け、袋本体１における正面側の開口縁部に前記雄又は雌スナップ３ａに対応する雌又は雄スナップ３ｂを取り付けることによって、離型紙の挟み込みが不要となるが、ヘッダー部Ｂが、樹脂フィルムを折り返して、補強シート２を囲繞し、樹脂フィルムの二枚合わせ部分を熱溶着して、補強シート２を綴じ込む構造であるから、ヘッダー部Ｂを形成した際、フラップＡが袋本体１における正面側の開口縁部と平面的に重ね合わされた状態となり、フラップＡに対する雄又は雌スナップ３ａの自動機による取付けが困難であり、手作業に頼らざるを得ない。
【先行技術文献】
【特許文献】
【０００７】
【特許文献１】特開平１１−２９１５５号公報
【考案の概要】
【考案が解決しようとする課題】
【０００８】
本考案は、上記の問題点を踏まえて成されたものであって、その目的とするところは、袋本体に対する商品の収納が容易で、商品を購入したいお客が吊下げ展示された商品を取り出して商品のサイズ、柄、模様等を確認して、再び、袋本体に収納した際、スナップファスナー等によるフラップの固定が不完全に行われても、吊り下げる際や吊下げ展示中に、収納した内容物が不測に落下することのない吊下げ展示用の収納袋を提供することにある。
【課題を解決するための手段】
【０００９】
上記の目的を達成するために本考案が講じた技術的手段は、次のとおりである。即ち、請求項１に記載の考案による収納袋は、上端に開口が形成された樹脂フィルム製の袋本体における背面側の開口縁部に、袋本体の横幅に対応する横幅と所定の上下幅を有し、且つ、吊下げ展示用の貫通孔が形成された補強シートの下縁部が開口に沿った直線状に溶着され、この直線状の溶着線より上方の樹脂フィルム部分が袋本体の開口を閉塞するフラップに形成され、補強シートが吊下げ展示用の貫通孔を有するヘッダー部に形成されていることを特徴としている。
【００１０】
請求項２に記載の考案は、請求項１に記載の収納袋であって、補強シートの表面に樹脂フィルムの熱溶着を抑制する表面処理が施され、樹脂フィルム製の袋本体における背面側の開口縁部と補強シートの表面が補強シートの下縁部において開口に沿った直線状に超音波溶着され、袋本体の両側部が熱溶着によりシールされていることを特徴としている。
【００１１】
請求項３に記載の考案は、請求項１又は２に記載の収納袋であって、溶着線より上方の樹脂フィルム部分で形成されたフラップの補強シートより上方へ突出した位置に雄又は雌スナップが取り付けられ、袋本体における正面側の開口縁部に前記雄又は雌スナップに対応する雌又は雄スナップが取り付けられていることを特徴としている。
【考案の効果】
【００１２】
請求項１に記載の考案によれば、袋本体の上端に開口が形成されているので、商品を購入したいお客が吊下げ展示された商品を取り出して商品のサイズ、柄、模様等を確認した後、再び、袋本体に収納した際、スナップファスナー等によるフラップの固定が不完全に行われても、吊り下げる際や吊下げ展示中に、収納した内容物が不測に落下することがない。
【００１３】
殊に、溶着線より上方の樹脂フィルム部分が袋本体の開口を閉塞するフラップに形成され、補強シートが吊下げ展示用の貫通孔を有するヘッダー部に形成されているので、袋本体の開口を開放した状態においては、開口が補強シートで保形され、物品を収納する際、物品が引っ掛かっても袋口が不規則に変形せず、容易に収納することができる。
【００１４】
請求項２に記載の考案によれば、補強シートの表面に樹脂フィルムの熱溶着を抑制する表面処理が施されているので、加圧変形を伴う超音波溶着は支障なく行われるが、袋本体の両側部を熱溶着によりシールすると同時に切断する際、フラップを形成する樹脂フィルムが補強シートの表面に溶着してしまうことがない。従って、フラップの開閉動作が阻害されることがない。
【００１５】
請求項３に記載の考案によれば、溶着線より上方の樹脂フィルム部分で形成されたフラップの補強シートより上方へ突出した位置に雄又は雌スナップを取り付けるので、スナップ取付け位置が補強シートと平面的にラップしない。従って、自動機による取付けが容易である。
【図面の簡単な説明】
【００１６】
【図１】本考案の実施形態を示し、袋口を開いた状態における収納袋の斜視図である。
【図２】袋口を閉じた状態における収納袋の斜視図である。
【図３】収納袋の縦断側面図である。
【図４】吊下げ展示状態を示す縦断側面図である。
【図５】本考案の他の実施形態を示す斜視図である。
【図６】従来例を示す斜視図である。
【図７】従来例を示す縦断側面図である。
【図８】他の従来例を示す斜視図である。
【図９】他の従来例を示す斜視図である。
【考案を実施するための形態】
【００１７】
以下、本考案の実施形態を図面に基づいて説明する。図１〜図４は、本考案に係る収納袋の一例を示す。この収納袋は、透明な熱可塑性の樹脂フィルムで作製され、上端に開口ａが形成された袋本体１における背面側の開口縁部１ａに、袋本体１の横幅に対応する横幅と所定の上下幅（具体的には、後述するフラップＡより狭い上下幅）を有し、且つ、吊下げ展示用の貫通孔ｂが形成された厚紙製の補強シート２が、超音波溶着法により、当該補強シート２の下縁部において開口ａに沿った直線状に溶着され、この直線状の溶着線Ｌより上方の樹脂フィルム部分が袋本体１の開口ａを閉塞するフラップＡに形成され、補強シート２が吊下げ展示用の貫通孔ｂを有するヘッダー部Ｂに形成されている。
【００１８】
前記補強シート２の表面（吊下げ展示した状態において、正面側に来る面）には、袋本体１のサイドシール時における樹脂フィルムの熱溶着を抑制する表面処理（印刷）が施されている。そのため、樹脂フィルム製の袋本体１における背面側の開口縁部１ａと補強シート２の表面とを溶着する際、加圧変形を伴う超音波溶着は支障なく行われるが、熱溶着用刃体とそれより高温の切断用刃体を用いて、袋本体１の両側部を熱溶着によりシールすると同時に切断する際、フラップＡを形成するための樹脂フィルムが補強シート２の表面に溶着してしまうことがない。従って、フラップＡの開閉動作が阻害されることがない。
【００１９】
溶着線Ｌより上方の樹脂フィルム部分で形成されたフラップＡの補強シート２より上方へ突出した位置には、雄又は雌スナップ３ａが取り付けられ、袋本体１における正面側の開口縁部１ｂには、前記雄又は雌スナップ３ａに弾性嵌合する雌又は雄スナップ３ｂが取り付けられている。図示した雄又は雌スナップ３ａと雌又は雄スナップ３ｂは、何れも合成樹脂製であり、夫々、嵌合用部材とそれを止着するリベット状部材とで構成されている。
【００２０】
また、ヘッダー部Ｂを構成する補強シート２の表面には、商品名、製造社名など必要な文字や模様が印刷されており、フラップＡで袋口を閉じた際、これらの印刷がフラップＡより上方に現れるように構成されている。図４に示す４は、ヘッダー部Ｂの貫通孔ｂに挿通された陳列用の吊下げバーである。
【００２１】
上記の構成によれば、袋本体１の上端に開口ａが形成されているので、商品を購入したいお客が吊下げ展示された商品を取り出して商品のサイズ、柄、模様等を確認した後、再び、袋本体１に収納した際、雌，雄スナップから成るスナップファスナーによるフラップＡの固定が不完全に行われても、吊り下げる際や吊下げ展示中に、収納した内容物が不測に落下することがない。
【００２２】
殊に、溶着線Ｌより上方の樹脂フィルム部分が袋本体１の開口ａを閉塞するフラップＡに形成され、補強シート２が吊下げ展示用の貫通孔ｂを有するヘッダー部Ｂに形成されているので、袋本体１の開口ａを開放した状態においては、開口ａが補強シート２で保形され、物品を収納する際、物品が引っ掛かっても袋口が不規則に変形せず、容易に収納することができる。
【００２３】
また、補強シート２の表面に樹脂フィルムの熱溶着を抑制する表面処理が施されているので、加圧変形を伴う超音波溶着は支障なく行われるが、袋本体１の両側部を熱溶着によりシールすると同時に切断する際、フラップＡを形成する樹脂フィルムが補強シート２の表面に溶着してしまうことがない。従って、フラップＡの開閉動作が阻害されることがない。
【００２４】
しかも、溶着線Ｌより上方の樹脂フィルム部分で形成されたフラップＡの補強シート２より上方へ突出した位置に雄又は雌スナップ３ａを取り付けるので、スナップ取付け位置が補強シート２と平面的にラップしない。従って、自動機による取付けが容易である。
【００２５】
尚、上記の実施形態においては、ヘッダー部Ｂの貫通孔ｂに直接陳列用の吊下げバー４を挿通して吊下げ展示するタイプの収納袋を示したが、本考案の収納袋としては、ヘッダー部Ｂの貫通孔ｂに樹脂製フックの基部を挿通して取り付け、この樹脂製フックを陳列用の吊下げバーに引っ掛けて吊下げ展示するタイプの収納袋であってもよい。
【００２６】
図５は、本考案の他の実施形態を示す。この実施形態は、上述した雌，雄スナップから成るスナップファスナーに代え、袋本体１における正面側の開口縁部１ｂに両面テープ５を貼着して粘着層を形成し、フラップＡを粘着して開口ａを閉塞状態に固定するように構成した点に特徴がある。その他の構成、作用は、先の実施形態と同じであるため、説明を省略する。
【産業上の利用可能性】
【００２７】
粉体や液体を収納する収納袋への応用が可能である。
【符号の説明】
【００２８】
Ａ  フラップ
Ｂ  ヘッダー部
Ｌ  溶着線
ａ  開口
ｂ  貫通孔
１  袋本体
１ａ  背面側の開口縁部
１ｂ  正面側の開口縁部
２  補強シート
３ａ  雄又は雌スナップ
３ｂ  雌又は雄スナップ
４  陳列用の吊下げバー
５  両面テープ
６  離型紙
【図１】
0003152460.tif 000003
【図２】
0003152460.tif 000004
【図３】
0003152460.tif 000005
【図４】
0003152460.tif 000006
【図５】
0003152460.tif 000007
【図６】
0003152460.tif 000008
【図７】
0003152460.tif 000009
【図８】
0003152460.tif 000010
【図９】
0003152460.tif 000011